【手続補正書】
【提出日】平成20年3月14日(2008.3.14)
【手続補正１】
【補正対象書類名】明細書
【補正対象項目名】発明の名称
【補正方法】変更
【補正の内容】
【発明の名称】ＬＥＤ光源モジュール
【手続補正２】
【補正対象書類名】明細書
【補正対象項目名】特許請求の範囲
【補正方法】変更
【補正の内容】
【特許請求の範囲】
【請求項１】  白色光を発光する白色ＬＥＤと、
緑色を発光する緑色ＬＥＤと、
赤色を発光する赤色ＬＥＤと、
前記白色ＬＥＤ、前記緑色ＬＥＤ、前記赤色ＬＥＤから各々放射された光を混光させる拡散部とを備えたことを特徴とするＬＥＤ光源モジュール。
【請求項２】  白色ＬＥＤのピーク波長が４６０ｎｍ近傍、緑色ＬＥＤのピーク波長が５２０ｎｍ近傍、赤色ＬＥＤのピーク波長が６３０ｎｍ近傍としたことを特徴とする請求項１記載のＬＥＤ光源モジュール。
【請求項３】  白色ＬＥＤの光束比を７４％近傍、緑色ＬＥＤの光束比を２１％近傍、赤色ＬＥＤの光束比を５％近傍とし、光源色を昼光色としたことを特徴とする請求項２記載のＬＥＤ光源モジュール。
【請求項４】  白色ＬＥＤの光束比を５７％近傍、緑色ＬＥＤの光束比を３０％近傍、赤色ＬＥＤの光束比を１３％近傍とし、光源色を昼白色としたことを特徴とする請求項２記載のＬＥＤ光源モジュール。
【請求項５】  白色ＬＥＤの光束比を４８％近傍、緑色ＬＥＤの光束比を３４％近傍、赤色ＬＥＤの光束比を１８％近傍とし、光源色を白色としたことを特徴とする請求項２記載のＬＥＤ光源モジュール。
【請求項６】  白色ＬＥＤの光束比を３３％近傍、緑色ＬＥＤの光束比を４１％近傍、赤色ＬＥＤの光束比を２６％近傍とし、光源色を温白色としたことを特徴とする請求項２記載のＬＥＤ光源モジュール。
【請求項７】  白色ＬＥＤの光束比を２０％近傍、緑色ＬＥＤの光束比を４６％近傍、赤色ＬＥＤの光束比を３４％近傍とし、光源色を電球色としたことを特徴とする請求項２記載のＬＥＤ光源モジュール。
【請求項８】  白色ＬＥＤ、緑色ＬＥＤ、赤色ＬＥＤの光束比を可変可能にして、混光の色温度を可変することを特徴とする請求項３〜７のいずれかに記載のＬＥＤ光源モジュール。
【請求項９】  白色ＬＥＤ、緑色ＬＥＤ、赤色ＬＥＤを各々ランプ型、または、チップ型としたことを特徴とする請求項１〜８のいずれかに記載のＬＥＤ光源モジュール。
【手続補正３】
【補正対象書類名】明細書
【補正対象項目名】０００１
【補正方法】変更
【補正の内容】
【０００１】
【発明の属する技術分野】
この発明は、発光色の異なるＬＥＤの光束比を変化させて混色し、相関色温度を任意に変化させることができるＬＥＤ光源モジュールに関する。
【手続補正４】
【補正対象書類名】明細書
【補正対象項目名】０００４
【補正方法】変更
【補正の内容】
【０００４】
この発明は、上記の問題を解決するためになされたもので、簡単な構成により、発光色の異なるＬＥＤを光束比を変化させて混色し、相関色温度を任意に設定することができ、完全放射体の色温度軌跡、または、ＣＩＥ昼光の軌跡とほぼ等しい色温度可変ＬＥＤ光源モジュールを得ることを目的とする。
【手続補正５】
【補正対象書類名】明細書
【補正対象項目名】０００５
【補正方法】変更
【補正の内容】
【０００５】
【課題を解決するための手段】
この発明に係るＬＥＤ光源モジュールは、白色光を発光する白色ＬＥＤと、緑色を発光する緑色ＬＥＤと、赤色を発光する赤色ＬＥＤと、前記白色ＬＥＤ、前記緑色ＬＥＤ、前記赤色ＬＥＤから各々放射された光を混光させる拡散部とを備える。
【手続補正６】
【補正対象書類名】明細書
【補正対象項目名】０００６
【補正方法】変更
【補正の内容】
【０００６】
また、白色ＬＥＤのピーク波長が４６０ｎｍ近傍、緑色ＬＥＤのピーク波長が５２０ｎｍ近傍、赤色ＬＥＤのピーク波長が６３０ｎｍ近傍としたものである。
【手続補正７】
【補正対象書類名】明細書
【補正対象項目名】０００７
【補正方法】変更
【補正の内容】
【０００７】
また、白色ＬＥＤの光束比を７４％近傍、緑色ＬＥＤの光束比を２１％近傍、赤色ＬＥＤの光束比を５％近傍とし、光源色を昼光色としたものである。
【手続補正８】
【補正対象書類名】明細書
【補正対象項目名】０００８
【補正方法】変更
【補正の内容】
【０００８】
また、白色ＬＥＤの光束比を５７％近傍、緑色ＬＥＤの光束比を３０％近傍、赤色ＬＥＤの光束比を１３％近傍とし、光源色を昼白色としたものである。
【手続補正９】
【補正対象書類名】明細書
【補正対象項目名】０００９
【補正方法】変更
【補正の内容】
【０００９】
また、白色ＬＥＤの光束比を４８％近傍、緑色ＬＥＤの光束比を３４％近傍、赤色ＬＥＤの光束比を１８％近傍とし、光源色を白色としたものである。
【手続補正１０】
【補正対象書類名】明細書
【補正対象項目名】００１０
【補正方法】変更
【補正の内容】
【００１０】
また、白色ＬＥＤの光束比を３３％近傍、緑色ＬＥＤの光束比を４１％近傍、赤色ＬＥＤの光束比を２６％近傍とし、光源色を温白色としたものである。
【手続補正１１】
【補正対象書類名】明細書
【補正対象項目名】００１１
【補正方法】変更
【補正の内容】
【００１１】
また、白色ＬＥＤの光束比を２０％近傍、緑色ＬＥＤの光束比を４６％近傍、赤色ＬＥＤの光束比を３４％近傍とし、光源色を電球色としたものである。
【手続補正１２】
【補正対象書類名】明細書
【補正対象項目名】００１２
【補正方法】変更
【補正の内容】
【００１２】
また、白色ＬＥＤ、緑色ＬＥＤ、赤色ＬＥＤの光束比を可変可能にして、混光の色温度を可変するものである。
また、白色ＬＥＤ、緑色ＬＥＤ、赤色ＬＥＤを各々ランプ型、または、チップ型としたものである。
【手続補正１３】
【補正対象書類名】明細書
【補正対象項目名】００２３
【補正方法】変更
【補正の内容】
【００２３】
【発明の効果】
以上のように、白色光を発光する白色ＬＥＤと、緑色を発光する緑色ＬＥＤと、赤色を発光する赤色ＬＥＤと、前記白色ＬＥＤ、前記緑色ＬＥＤ、前記赤色ＬＥＤから各々放射された光を混光させる拡散部とを備えたので、簡単な構成により、相関色温度を任意に設定することができ、しかも、平均演色評価数Ｒａを高くすることができる。
【手続補正１４】
【補正対象書類名】明細書
【補正対象項目名】００２４
【補正方法】変更
【補正の内容】
【００２４】
また、白色ＬＥＤのピーク波長が４６０ｎｍ近傍、緑色ＬＥＤのピーク波長が５２０ｎｍ近傍、赤色ＬＥＤのピーク波長が６３０ｎｍ近傍としたので、簡単な構成により、相関色温度を任意に設定することができ、また、完全放射体の軌跡、または、ＣＩＥ昼光の軌跡とほぼ等しくすることができる。
【手続補正１５】
【補正対象書類名】明細書
【補正対象項目名】００２５
【補正方法】変更
【補正の内容】
【００２５】
また、白色ＬＥＤの光束比を７４％近傍、緑色ＬＥＤの光束比を２１％近傍、赤色ＬＥＤの光束比を５％近傍とし、光源色を昼光色としたので、簡単な構成により、ＣＩＥ昼光の軌跡とほぼ等しくすることができ、また、平均演色評価数Ｒａを高くすることができる。
【手続補正１６】
【補正対象書類名】明細書
【補正対象項目名】００２６
【補正方法】変更
【補正の内容】
【００２６】
また、白色ＬＥＤの光束比を５７％近傍、緑色ＬＥＤの光束比を３０％近傍、赤色ＬＥＤの光束比を１３％近傍とし、光源色を昼白色としたので、簡単な構成により、ＣＩＥ昼光の軌跡とほぼ等しくすることができる。
【手続補正１７】
【補正対象書類名】明細書
【補正対象項目名】００２７
【補正方法】変更
【補正の内容】
【００２７】
また、白色ＬＥＤの光束比を４８％近傍、緑色ＬＥＤの光束比を３４％近傍、赤色ＬＥＤの光束比を１８％近傍とし、光源色を白色としたので、簡単な構成により、完全放射体の色温度軌跡とほぼ等しくすることができる。
【手続補正１８】
【補正対象書類名】明細書
【補正対象項目名】００２８
【補正方法】変更
【補正の内容】
【００２８】
また、白色ＬＥＤの光束比を３３％近傍、緑色ＬＥＤの光束比を４１％近傍、赤色ＬＥＤの光束比を２６％近傍とし、光源色を温白色としたので、簡単な構成により、完全放射体の色温度軌跡とほぼ等しくすることができる。
【手続補正１９】
【補正対象書類名】明細書
【補正対象項目名】００２９
【補正方法】変更
【補正の内容】
【００２９】
また、白色ＬＥＤの光束比を２０％近傍、緑色ＬＥＤの光束比を４６％近傍、赤色ＬＥＤの光束比を３４％近傍とし、光源色を電球色としたので、簡単な構成により、完全放射体の色温度軌跡とほぼ等しくすることができる。
【手続補正２０】
【補正対象書類名】明細書
【補正対象項目名】００３０
【補正方法】変更
【補正の内容】
【００３０】
また、白色ＬＥＤ、緑色ＬＥＤ、赤色ＬＥＤの光束比を可変可能にして、混光の色温度を可変するので、相関色温度を任意に変化させることができる。
また、白色ＬＥＤ、緑色ＬＥＤ、赤色ＬＥＤを各々ランプ型、または、チップ型としたので、簡単な構成により、相関色温度を任意に変化させることができる。
【手続補正２１】
【補正対象書類名】明細書
【補正対象項目名】図面の簡単な説明
【補正方法】変更
【補正の内容】
【図面の簡単な説明】
【図１】  この発明の実施の形態を示すＬＥＤ光源モジュールの断面図である。
【図２】  この発明の実施の形態を示すＬＥＤ光源モジュールの  白色ＬＥＤの分光分布図である。
【図３】  この発明の実施の形態を示すＬＥＤ光源モジュールの  緑色ＬＥＤの分光分布図である。
【図４】  この発明の実施の形態を示すＬＥＤ光源モジュールの  赤色ＬＥＤの分光分布図である。
【図５】  この発明の実施の形態を示すＬＥＤ光源モジュールの  ｘｙ色度図である。
【図６】  この発明の実施の形態を示すＬＥＤ光源モジュールの昼光色の分光分布図である。
【図７】  この発明の実施の形態を示すＬＥＤ光源モジュールの昼白色の分光分布図である。
【図８】  この発明の実施の形態を示すＬＥＤ光源モジュールの白色の分光分布図である。
【図９】  この発明の実施の形態を示すＬＥＤ光源モジュールの温白色の分光分布図である。
【図１０】  この発明の実施の形態を示すＬＥＤ光源モジュールの電球色の分光分布図である。
【図１１】  この発明の実施の形態を示すＬＥＤ光源モジュールの断面図である。
【符号の説明】
１  白色ＬＥＤ、２  緑色ＬＥＤ、３  赤色ＬＥＤ、４、基板、５拡散部、１１  白色チップ型ＬＥＤ、１２  緑色チップ型ＬＥＤ、１３  赤色チップ型ＬＥＤ、１４基板、１５  拡散部。